(57)【要約】      （修正有）【課題】容器とキャップとの分別時に、縦弱化線が円滑に切り裂けるようにするとともに、分別作業が容易できるようにする。【解決手段】キャップ本体５の外筒１２の内周面に設けられ、容器口部３の環状係止部２１に係合する環状係合部２２と、前記外筒１２に設けられ、前記環状係止部２１を通る縦弱化線３５と、付け根が前記縦弱化線３５に連続しているタブ２６と、前記縦弱化線３５の上端に連続する周方向弱化線２４と、を備えた合成樹脂製キャップ１において、前記縦弱化線３５は、V字状に交差する上側傾斜弱化線部３７と下側傾斜弱化線部３８とにより形成され、その交差部３５Ｐは、タブ２６側を向いている。【選択図】図４
2010001029.tif 000002
【特許請求の範囲】
【請求項１】
キャップ本体の外筒の内周面に設けられ、容器口部の環状係合部に係合する環状係止部と、前記外筒に設けられ、前記環状係止部を通る縦弱化線と、前記外筒に設けられ、付け根が前記縦弱化線に連続しているタブと、前記縦弱化線の上端に連続する周方向弱化線と、を備えた合成樹脂製キャップにおいて、
前記縦弱化線は、V字状に交差する上側傾斜弱化線部と下側傾斜弱化線部とにより形成され、その交差部は、タブ側を向いていることを特徴とする合成樹脂製キャップ。
【請求項２】
前記縦弱化線の交差部は、前記環状係止部の上端、又は、その上端より上方の高さに位置していることを特徴とする請求項１記載の合成樹脂製キャップ。
【発明の詳細な説明】
【技術分野】
【０００１】
この発明は、瓶等の容器口部に打栓装着される合成樹脂製キャップに関するものである。
【背景技術】
【０００２】
近年、資源の有効利用や公害防止の観点から、使用済みの容器は、回収し種々の製品の原料として再利用、所謂リサイクルされている。
【０００３】
この容器とキャップは、通常互いに材質が異なり、例えば、容器はガラス製でキャップは合成樹脂製であるので、キャップを容器から外して両者を分離し、分別回収しなければならない。
【０００４】
そこで、前記分別回収を容易にするため、従来、次の様な合成樹脂製キャップが用い
られている（例えば、特許文献１、参照）。即ち、
キャップ本体と、該キャップ本体における外筒部の内周に設けられ、容器口部の環状係合部に係合する環状係止部と、前記外筒部に連続する頂壁部に設けられた周方向弱化線と、前記外筒部に設けられ、人が指で摘むためのタブと、前記タブの付け根に上向き、又は、斜め上向きに設けられ、上端が前記周方向弱化線に連結されている縦弱化線と、を備えた合成樹脂製キャップ。
【０００５】
前記キャップでは、瓶（容器）の内容品の使用後、この容器を回収して再使用する場合、前記タブを指で摘み、上向き、又は、斜め上向きに引っ張ると、前記縦弱化線が切れて前記外筒部が縦方向に切断されるので、容器口部の環状係合部に係合している環状係止部の締付け力は弱くなる。更に該タブを周方向に引っ張ると、周方向弱化線が切れ、前記外筒部の一部が容器口部から離れるので、前記締付け力は、更に弱くなる。そのため、前記キャップは、容器口部から容易に外すことができる。
【０００６】
【特許文献１】特開２００１−１４６２５０号公報
【発明の開示】
【発明が解決しようとする課題】
【０００７】
キャップを打栓装着する際には、容器口部に設けたフランジにホルダを引掛けて該容器を保持する。従来例では、このフランジにキャップ本体の外筒下端が密接、又は、密着する構造であると共に、タブが外筒の下部に位置するように形成されているので、該タブが掴みづらい、という問題がある。
【０００８】
また、タブに繋がる弱化線は、タブの付け根から上向き、或いは、斜め上向きに延びるように形成されているので、前記弱化線を引き裂くときには、タブを摘んだ手を真上や斜め上方に移動させなければならないため、手の動きが不自然となり、タブが引っ張りにくい。
【０００９】
更に、前記弱化線の切り裂き開始部は、縦方向に一定の長さがあり、タブを引っ張るとその全長に亘り均等な力が掛かる。そのため、前記開始部には、応力集中が発生しないため、裂き切りにくいので、円滑に弱化線を切り裂くことが困難となる。
【００１０】
この発明は、上記事情に鑑み、容器とキャップとの分別時に、縦弱化線が円滑に切り裂けるようにするとともに、分別作業が容易にできるようにすることを目的とする。
【課題を解決するための手段】
【００１１】
この発明は、キャップ本体の外筒の内周面に設けられ、容器口部の環状係合部に係合する環状係止部と、前記外筒に設けられ、前記環状係止部を通る縦弱化線と、付け根が前記縦弱化線に連続しているタブと、前記縦弱化線の上端に連続する周方向弱化線と、を備えた合成樹脂製キャップにおいて、前記縦弱化線は、Ｖ字状に交差する上側傾斜弱化線部と下側傾斜弱化線部とにより形成され、その交差部は、タブ側を向いていることを特徴とする。
【００１２】
この発明の前記縦弱化線の交差部は、前記環状係止部の上端、又は、その上端より上方の高さに位置していることを特徴とする。
【発明の効果】
【００１３】
この発明の前記縦弱化線は、Ｖ字状に交差する上側傾斜弱化線部と下側傾斜弱化線部とにより形成され、その交差部は、タブ側を向いているので、分別時にタブを掴んで周方向に引っ張ると、最初に縦弱化線の交差部に応力がかかるが、この交差部は、尖がっているため、応力集中が発生する。そのため、容易に裂き切りを開始することが出来る。また、タブは、従来例と異なり、周方向にだけ引くため、手は自然な方向に動くので、円滑に分別作業を行うことができる。
【発明を実施するための最良の形態】
【００１４】
本発明者は、分別回収の際に、弱化部の裂き切り開始部が切れやすい様にするには、該裂き切り開始部に応力集中が発生する様にすればよい、と考え研究を重ねた。その結果、外筒に形成される縦弱化線を、Ｖ字状に交差する上側傾斜弱化線部と下側傾斜弱化線部とにより形成し、その交差部を、タブ側に向ければよいことがわかった。
また、前記交差部の位置は、環状係止部の上端、又は、その上端より上方の高さが好適であることがわかった。
この発明は、上記知見に基づいて完成されたものである。
【実施例】
【００１５】
合成樹脂製キャップ１は、フランジ２を有する容器口部３に打栓装着されるキャップ本体５と、該キャップ本体５の螺着筒７に螺合される蓋体１０と、を備えている。
【００１６】
キャップ本体５は、外筒１２と、該外筒１２の天面を覆う天壁１３と、該天壁１３の上面側に設けられ、前記螺着筒７の内側に配設された注出筒１４と、該注出筒１４の内側に配設されているプルリング１６と、を備えている。前記天壁１３の下面側には、前記外筒１２に対向する内筒１８が突設されている。
【００１７】
前記外筒１２の外周面には、環状段部２０が設けられ、該段部２０の上面には、蓋体１０のスカート１１の下端が当接する。前記外筒１２の内周面には、容器口部３の環状係合部２１に係合する環状係止部２２が突設されている。前記環状係止部２２は、外筒１２の前記環状段部２０より下方の部分（以下、「外筒下部」という）に形成されている。前記段部２０には、周方向弱化線２４が設けられているが、この周方向弱化線２４の形成位置は、必要に応じて適宜選択することが出来る。
【００１８】
外筒１２には、円弧状のタブ２６が設けられている。このタブ２６の内側には、円弧状の凹部２８が貫通して設けられ、その先端部２６ａは、ブリッジ３０を介して前記外筒１２に固定されている。タブ２６の内周面には、滑り止め用の突起３２が複数個設けられている。
【００１９】
前記タブ２６の上端面は、外筒12の環状段部20の上面と同一水平面上に位置しているが、該上端面には、掴みやすいようにするための切り欠き部３１が設けられている。前記タブ２６の径方向の長さ（肉厚）と前記凹部２８の径方向の長さは、同一長さに形成されているが、それらの長さは、必要に応じて適宜選択される。
【００２０】
前記タブ26の後端部側の付け根は、Ｖ字状に形成され、該付け根には、縦弱化線３５が設けられている。該縦弱化線３５は、Ｖ字状に交差する上側傾斜弱化線部３７と下側傾斜弱化線３８とにより構成され、その交差部３５Ｐは、タブ２６側を向いている。即ち、前記交差部３５Ｐは、タブ26の先端部２６ａに向かって突となっている。前記両弱化線部３７、３８の交差角θは、鋭角の範囲内で、必要に応じて適宜選択される。例えば、前記交差角θとして、７０度が好適である。
【００２１】
前記上側傾斜弱化線部３７の上端は、前記周方向弱化線２４の始端部に連続し、また、前記下側傾斜弱化線部３８は、前記環状係止部２２を切断する方向に伸びながら外筒１２の下端に至っている。
前記交差部３５Ｐは、環状係止部２２の上端２２ａの高さ位置にあるが、この位置は、必要に応じて適宜選択され、例えば、上端２２ａから上方（但し、環状段部２０の上面より下方）の高さ位置を選択することも出来る。
【００２２】
次に、本実施例の作動について説明する。
容器の内容物品を使用して、該容器が空になった後、蓋体１０を所定方向に回してキャップ本体５から外す。
【００２３】
凹部２８に指を入れてタブ２６を挟持し、周方向Ａ２６に引っ張ると、ブリッジ３０が切れる。そうすると、タブ２６の先端部２６ａが自由に動くようになるので、タブ２６をしっかりと掴むにことが出来る。
【００２４】
前記タブ２６を更に周方向Ａ２６に引っ張ると、縦弱化線３５に力がかかるが、先ず最初に、その交差部３５Ｐに力がかかる。この交差部３５Ｐは、Ｖ字状に尖がっているため、集中応力がかかることになるので、簡単に裂き切ることができる。
【００２５】
前記タブ２６を更に周方向Ａ２６に引っ張ると、両傾斜弱化線部３７、３８には、それぞれ同等な引っ張り力がかかるので、同じような割合で切り裂かれるため、効率よく切れる。前記上側傾斜弱化線部３７は下側傾斜弱化線部３８に比べて短いので、該下側傾斜弱化線部３８より先に切り終わるが、該上側傾斜弱化線部３７が切り終わると、周方向弱化線２４が裂き切れ始める。
【００２６】
前記タブ２６を更に周方向Ａ２６に引っ張ると、下側傾斜弱化線部３８が切り終わり、その後は、周方向弱化線２４だけが裂き切られる。
このようにして弱化線３５、２４を裂き切ると、環状係合部２１に係合する環状係止部２２の締め付けが完全に解除されるので、キャップ本体５を、簡単に容器口部３から抜くことが出来る。
【００２７】
この発明の実施例は、上記に限定されるものではない。
例えば、前記実施例では、キャップ本体と蓋体をねじ結合する、スクリュー式キャップを用いたが、その代わりに、それらをヒンジで結合する、ヒンジ式キャップを用いても良い。
【図面の簡単な説明】
【００２８】
【図１】本発明の実施例を示す正面図である。
【図２】本発明の実施例を示す平面図である。
【図３】本発明の実施例を示す底面図である。
【図４】本発明の実施例を示す正面一部縦断面図であり、キャップ本体に蓋体を被着した状態を示す図である。
【符号の説明】
【００２９】
１      合成樹脂製キャップ
３      容器口部
５      キャップ本体
１２    外筒
２２    環状係止部
２４    周方向弱化線
２６    タブ
【図１】
2010001029.tif 000003
【図２】
2010001029.tif 000004
【図３】
2010001029.tif 000005
【図４】
2010001029.tif 000006